(57)【要約】【課題】対象のコーナーや傾斜面に対して容易に密着させることができる防水シートを提供する。【解決手段】  防水層２と拘束層３とを備える防水シート１において、拘束層３に、防水層２を露出する切欠き６を設ける。拘束層３は、第１拘束部７と、切欠き６に対して一方側に配置される第２拘束部８と、切欠き６に対して他方側に配置される第３拘束部９とを有する。第３拘束部９は、第１拘束部７の一端Ｅ１１と他端Ｅ１２とが近づくように第１拘束部７が折り曲げられたときに、第１拘束部７が折り曲げられる前よりも、第２拘束部８から離れる。このとき、切欠き６から露出される防水層２は、第３拘束部９が第２拘束部８から離れる方向に伸長する。【選択図】図４
2019085735.tif 000002
【特許請求の範囲】
【請求項１】
防水層と、
前記防水層に積層され、前記防水層を露出する切欠きを有する拘束層と
を備え、
前記切欠きは、前記防水層と前記拘束層との積層方向と直交する第１方向において、前記拘束層の一端から他端へ向かって切欠かれ、
前記拘束層は、
前記第１方向において前記切欠きに対して他方側に配置される第１拘束部と、
前記積層方向および前記第１方向の両方と直交する第２方向において前記切欠きに対して一方側に配置される第２拘束部と、
前記第２方向において前記切欠きに対して他方側に配置される第３拘束部と
を有し、
前記第２方向における前記第１拘束部の一端と他端とが近づくように前記第１拘束部が折り曲げられた状態で、前記第３拘束部は、前記第１拘束部が折り曲げられる前よりも、前記第２拘束部から離れて配置され、前記切欠きから露出される前記防水層は、前記第３拘束部が前記第２拘束部から離れる方向に伸長することを特徴とする、防水シート。
【請求項２】
前記第１拘束部は、前記第１方向において前記切欠きと並び、前記第１方向に延びるスリットを有し、前記スリットに沿って折り曲げ可能であることを特徴とする、請求項１に記載の防水シート。
【請求項３】
前記第２方向における前記切欠きの広さは、前記第１拘束部から離れるにつれて拡がることを特徴とする、請求項１または２に記載の防水シート。
【請求項４】
前記第１拘束部と前記第２拘束部との境界部分に配置される第１穴と、
前記第１拘束部と前記第３拘束部との境界部分に配置される第２穴と
を有することを特徴とする、請求項１〜３のいずれか一項に記載の防水シート。
【請求項５】
前記第１穴は、前記第１拘束部と前記第２拘束部との境界部分と、前記第１拘束部とに配置され、
前記第２穴は、前記第１拘束部と前記第３拘束部との境界部分と、前記第１拘束部とに配置されることを特徴とする、請求項４に記載の防水シート。
【請求項６】
前記拘束層は、
前記第１拘束部と前記第２拘束部とを連結する第１連結部と、
前記第１拘束部と前記第３拘束部とを連結する第２連結部と
を有することを特徴とする、請求項１〜５のいずれか一項に記載の防水シート。
【請求項７】
前記拘束層は、
前記第２方向における第１連結部の両側に配置される第１凹部と、
前記第２方向における第２連結部の両側に配置される第２凹部と
を有することを特徴とする、請求項６に記載の防水シート。
【請求項８】
前記拘束層の反対側において前記防水層に積層される粘着層と、
前記防水層の反対側において前記粘着層に積層され、前記粘着層から剥離可能なセパレーターと
をさらに備えることを特徴とする、請求項１〜７のいずれか一項に記載の防水シート。
【請求項９】
前記セパレーターは、互いに独立して前記粘着層から剥離可能な第１セパレーターおよび第２セパレーターを備え、
前記第１セパレーターは、前記第１拘束部と、前記積層方向において重なり、
前記第２セパレーターは、前記第２拘束部および前記第３拘束部と、前記積層方向において重なることを特徴とする、請求項８に記載の防水シート。
【請求項１０】
前記第２セパレーターは、
本体部と、
前記本体部から分離可能であり、前記本体部が前記粘着層から剥離された状態で前記粘着層に残存し、前記積層方向において前記第２拘束部と重なる第１分離部と、
前記本体部から分離可能であり、前記本体部が前記粘着層から剥離された状態で前記粘着層に残存し、前記積層方向において前記第３拘束部と重なる第２分離部と
を備えることを特徴とする、請求項９に記載の防水シート。
【請求項１１】
前記セパレーターは、互いに独立して前記粘着層から剥離可能な第１セパレーター、第２セパレーター、第３セパレーターおよび第４セパレーターを備え、
前記第１セパレーターは、前記第２方向における前記第１拘束部の前記一方側の半分と、前記積層方向において重なり、
前記第２セパレーターは、前記第２方向における前記第１拘束部の前記他方側の半分と、前記積層方向において重なり、
前記第３セパレーターは、前記第２拘束部と、前記積層方向において重なり、
前記第４セパレーターは、前記第３拘束部と、前記積層方向において重なることを特徴とする、請求項８に記載の防水シート。
【請求項１２】
前記第３セパレーターは、
第１本体部と、
前記第１本体部から分離可能であり、前記第１本体部が前記粘着層から剥離された状態で前記粘着層に残存し、前記積層方向において前記第２拘束部と重なる第１分離部と
を備え、
前記第４セパレーターは、
第２本体部と、
前記第２本体部から分離可能であり、前記第２本体部が前記粘着層から剥離された状態で前記粘着層に残存し、前記積層方向において前記第３拘束部と重なる第２分離部と
を備えることを特徴とする、請求項１１に記載の防水シート。
【請求項１３】
前記拘束層は、金属からなることを特徴とする、請求項１〜１２のいずれか一項に記載の防水シート。
【請求項１４】
請求項１〜１３のいずれか一項に記載の防水シートを、所定方向に延びるコーナーと、前記コーナーが延びる前記所定方向に対して傾斜する傾斜面とが交わる部分に貼り付ける、前記防水シートの施工方法であって、
前記防水層のうちの、前記第２方向における前記第１拘束部の前記一方側の半分によって拘束される部分を、前記コーナーを形成する第１面に貼り付ける第１貼付工程と、
前記防水層のうちの、前記第２方向における前記第１拘束部の前記他方側の半分によって拘束される部分を、前記コーナーを形成する第２面に貼り付ける第２貼付工程と、
前記防水層のうちの、前記第２拘束部によって拘束される部分、および、前記第３拘束部によって拘束される部分を、前記切欠きから露出される前記防水層を伸長させながら前記傾斜面に貼り付ける第３貼付工程と
を含むことを特徴とする、防水シートの施工方法。
【発明の詳細な説明】
【技術分野】
【０００１】
本発明は、防水シート、および、防水シートの施工方法に関する。
【背景技術】
【０００２】
従来、建築物の隅部を防水するための隅部用防水部材として、展延防水材と、展延防水材の一端に配置され、隅部に配置される隅部当接片と、展延防水材の他端に配置される展延操作片とを備える隅部用防水部材が知られている（下記特許文献１参照）。
【先行技術文献】
【特許文献】
【０００３】
【特許文献１】特開２００６−２１９８７８号公報
【発明の概要】
【発明が解決しようとする課題】
【０００４】
しかし、上記した特許文献１に記載されるような隅部用防水部材では、建築物の隅部の形状によっては、隅部に配置される隅部当接片が隅部に合わない場合がある。
【０００５】
隅部当接片が隅部に合わないと、展延防水材を隅部に密着させることが困難になる場合がある。
【０００６】
そこで、本発明は、対象のコーナーや傾斜面に対して容易に密着させることができる防水シート、および、防水シートの施工方法を提供する。
【課題を解決するための手段】
【０００７】
本発明［１］は、防水層と、前記防水層に積層され、前記防水層を露出する切欠きを有する拘束層とを備え、前記切欠きが、前記防水層と前記拘束層との積層方向と直交する第１方向において、前記拘束層の一端から他端へ向かって切欠かれ、前記拘束層が、前記第１方向において前記切欠きに対して他方側に配置される第１拘束部と、前記積層方向および前記第１方向の両方と直交する第２方向において前記切欠きに対して一方側に配置される第２拘束部と、前記第２方向において前記切欠きに対して他方側に配置される第３拘束部とを有し、前記第２方向における前記第１拘束部の一端と他端とが近づくように前記第１拘束部が折り曲げられた状態で、前記第３拘束部が、前記第１拘束部が折り曲げられる前よりも、前記第２拘束部から離れて配置され、前記切欠きから露出される前記防水層が、前記第３拘束部が前記第２拘束部から離れる方向に伸長する、防水シートを含む。
【０００８】
このような構成によれば、拘束層は、第１拘束部と、切欠きによって分離される第２拘束部および第３拘束部を有し、第１拘束部が折り曲げられ、第３拘束部が第２拘束部から離れた場合に、切欠きから露出される防水層が伸長する。
【０００９】
これにより、コーナーの形状や傾斜面の斜度に応じて、第１拘束部の屈曲度合いと、切欠きから露出される防水層の伸長度合いとを変えて、防水シートを、対象の形状に合わせて折り曲げることができる。
【００１０】
その結果、防水シートを、対象のコーナーや傾斜面に対して、容易に密着させることができる。
【００１１】
本発明［２］は、前記第１拘束部が、前記第１方向において前記切欠きと並び、前記第１方向に延びるスリットを有し、前記スリットに沿って折り曲げ可能である、上記［１］の防水シートを含む。
【００１２】
このような構成によれば、第１拘束部を、切欠きと並ぶ位置において、スリットに沿って容易に折り曲げることができる。
【００１３】
本発明［３］は、前記第２方向における前記切欠きの広さが、前記第１拘束部から離れるにつれて拡がる、上記［１］または［２］の防水シートを含む。
【００１４】
このような構成によれば、第３拘束部が第２拘束部から離れるときに、切欠きから露出される防水層を、第１拘束部から離れるほど伸長させることができる。
【００１５】
本発明［４］は、前記第１拘束部と前記第２拘束部との境界部分に配置される第１穴と、前記第１拘束部と前記第３拘束部との境界部分に配置される第２穴とを有する、上記［１］〜［３］のいずれか１つの防水シートを含む。
【００１６】
このような構成によれば、第１穴および第２穴によって、第１拘束部と第２拘束部との境界部分、および、第１拘束部と第３拘束部との境界部分で、防水シートを容易に折り曲げることができる。
【００１７】
本発明［５］は、前記第１穴が、前記第１拘束部と前記第２拘束部との境界部分と、前記第１拘束部とに配置され、前記第２穴が、前記第１拘束部と前記第３拘束部との境界部分と、前記第１拘束部とに配置される、上記［４］の防水シートを含む。
【００１８】
このような構成によれば、第１穴および第２穴によって、第１拘束部の剛性を弱めることができる。
【００１９】
そのため、折り目が第１拘束部を通る場合であっても、防水シートを容易に折り曲げることができる。
【００２０】
本発明［６］は、前記拘束層が、前記第１拘束部と前記第２拘束部とを連結する第１連結部と、前記第１拘束部と前記第３拘束部とを連結する第２連結部とを有する、上記［１］〜［５］のいずれか１つの防水シートを含む。
【００２１】
このような構成によれば、第１拘束部と第２拘束部との境界部分、および、第１拘束部と第３拘束部との境界部分において、防水層を確実に拘束することができる。
【００２２】
本発明［７］は、前記拘束層が、前記第２方向における第１連結部の両側に配置される第１凹部と、前記第２方向における第２連結部の両側に配置される第２凹部とを有する、上記［６］の防水シートを含む。
【００２３】
このような構成によれば、第１凹部によって、第２方向における第１連結部の長さを規定し、第２凹部によって、第２方向における第２連結部の長さを規定することができる。
【００２４】
その結果、第１拘束部と第２拘束部との境界部分、および、第１拘束部と第３拘束部との境界部分において防水シートを折り曲げやすいように、第２方向における第１連結部の長さ、および、第２方向における第２連結部の長さを調節することができる。
【００２５】
本発明［８］は、前記拘束層の反対側において前記防水層に積層される粘着層と、前記防水層の反対側において前記粘着層に積層され、前記粘着層から剥離可能なセパレーターとをさらに備える、上記［１］〜［７］のいずれか１つの防水シートを含む。
【００２６】
このような構成によれば、防水シートを対象に貼り付けるときに、別途、粘着剤などを準備する必要がなく、粘着層により、防水シートを対象に容易に貼り付けることができる。
【００２７】
本発明［９］は、前記セパレーターが、互いに独立して前記粘着層から剥離可能な第１セパレーターおよび第２セパレーターを備え、前記第１セパレーターが、前記第１拘束部と、前記積層方向において重なり、前記第２セパレーターが、前記第２拘束部および前記第３拘束部と、前記積層方向において重なる、上記［８］の防水シートを含む。
【００２８】
このような構成によれば、セパレーターを部分的に粘着層から剥離して、防水シートを、対象に一部ずつ貼り付けていくことができる。
【００２９】
その結果、粘着層が意図せず対象に粘着することを抑制し、防水シートを対象に円滑に貼り付けることができる。
【００３０】
本発明［１０］は、前記第２セパレーターが、本体部と、前記本体部から分離可能であり、前記本体部が前記粘着層から剥離された状態で前記粘着層に残存し、前記積層方向において前記第２拘束部と重なる第１分離部と、前記本体部から分離可能であり、前記本体部が前記粘着層から剥離された状態で前記粘着層に残存し、前記積層方向において前記第３拘束部と重なる第２分離部とを備える、上記［９］の防水シートを含む。
【００３１】
このような構成によれば、作業者は、第２セパレーターの本体部を剥離した状態で、第１分離部および第２分離部が残存している部分をつかんで、防水層を対象に貼り付けることができる。
【００３２】
そのため、作業者は、粘着層に触れることなく、防水層を対象に貼り付けることができる。
【００３３】
本発明［１１］は、前記セパレーターが、互いに独立して前記粘着層から剥離可能な第１セパレーター、第２セパレーター、第３セパレーターおよび第４セパレーターを備え、前記第１セパレーターが、前記第２方向における前記第１拘束部の前記一方側の半分と、前記積層方向において重なり、前記第２セパレーターが、前記第２方向における前記第１拘束部の前記他方側の半分と、前記積層方向において重なり、前記第３セパレーターが、前記第２拘束部と、前記積層方向において重なり、前記第４セパレーターが、前記第３拘束部と、前記積層方向において重なる、上記［８］の防水シートを含む。
【００３４】
このような構成によれば、セパレーターを部分的に粘着層から剥離して、防水シートを、対象に一部ずつ貼り付けていくことができる。
【００３５】
その結果、粘着層が意図せず対象に粘着することを抑制し、防水シートを対象に円滑に貼り付けることができる。
【００３６】
本発明［１２］は、前記第３セパレーターが、第１本体部と、前記第１本体部から分離可能であり、前記第１本体部が前記粘着層から剥離された状態で前記粘着層に残存し、前記積層方向において前記第２拘束部と重なる第１分離部とを備え、前記第４セパレーターが、第２本体部と、前記第２本体部から分離可能であり、前記第２本体部が前記粘着層から剥離された状態で前記粘着層に残存し、前記積層方向において前記第３拘束部に重なる第２分離部とを備える、上記［１１］の防水シートを含む。
【００３７】
このような構成によれば、作業者は、第３セパレーターの第１本体部、および、第４セパレーターの第２本体部を剥離した状態で、第１分離部および第２分離部が残存している部分をつかんで、防水層を対象に貼り付けることができる。
【００３８】
そのため、作業者は、粘着層に触れることなく、防水層を対象に貼り付けることができる。
【００３９】
本発明［１３］は、前記拘束層が、金属からなる、上記［１］〜［１２］のいずれか１つに記載の防水シートを含む。
【００４０】
このような構成によれば、拘束層の剛性を確保できる。
【００４１】
本発明［１４］は、上記［１］〜［１３］のいずれか１つに記載の防水シートを、所定方向に延びるコーナーと、前記コーナーが延びる前記所定方向に対して傾斜する傾斜面とが交わる部分に貼り付ける、前記防水シートの施工方法であって、前記防水層のうちの、前記第２方向における前記第１拘束部の前記一方側の半分によって拘束される部分を、前記コーナーを形成する第１面に貼り付ける第１貼付工程と、前記防水層のうちの、前記第２方向における前記第１拘束部の前記他方側の半分によって拘束される部分を、前記コーナーを形成する第２面に貼り付ける第２貼付工程と、前記防水層のうちの、前記第２拘束部によって拘束される部分、および、前記第３拘束部によって拘束される部分を、前記切欠きから露出される前記防水層を伸長させながら前記傾斜面に貼り付ける第３貼付工程とを含む、防水シートの施工方法を含む。
【００４２】
このような方法によれば、防水シートを、対象のコーナーや傾斜面に対して、容易に密着させることができる。
【発明の効果】
【００４３】
本発明の防水シート、および、防水シートの施工方法によれば、防水シートを、対象のコーナーや傾斜面に対して容易に密着させることができる。
【図面の簡単な説明】
【００４４】
【図１】図１は、本発明の防水シートの第１実施形態を示す平面図である。
【図２】図２は、図１に示す防水シートのＡ−Ａ断面図である。
【図３】図３は、図１に示す防水シートの背面図である。
【図４】図４は、図１に示す防水シートの施工状態を説明する説明図である。
【図５】図５Ａおよび図５Ｂは、図１に示す防水シートの施工方法を説明する説明図であって、図５Ａは、第１貼付工程を示し、図５Ｂは、図５Ａに続き、第２貼付工程を示す。
【図６】図６は、図１に示す防水シートの施工方法を説明する説明図であって、図５Ｂに続き、第３貼付工程を示す。
【図７】図７は、第１実施形態の変形例を示す背面図である。
【図８】図８は、防水シートの第２実施形態を示す平面図である。
【図９】図９は、図８に示す防水シートの背面図である。
【図１０】図１０は、第２実施形態の変形例を示す背面図である。
【発明を実施するための形態】
【００４５】
（第１実施形態）
図１から図３を参照して、防水シート１の第１実施形態について説明する。
【００４６】
図１に示す防水シート１は、建築物などの対象１００（図４参照）に、防水層２を貼り付けるために用いられる。防水シート１は、コーナー１０１と、傾斜面１０２とが交わる部分（図４参照）に貼り付けられる。防水シート１は、コーナー１０１と、傾斜面１０２とが交わる部分を防水することができる。コーナー１０１は、出隅である。コーナー１０１としては、具体的には、対象１００の上の階の出隅が挙げられる。傾斜面１０２は、コーナー１０１が延びる方向に対して傾斜する。傾斜面１０２としては、具体的には、対象１００の下の階の屋根が挙げられる。防水シート１は、対象１００に貼り付けられる前の状態で、平板形状を有する。防水シート１は、対象１００に貼り付けられるときに、折り曲げ可能である。防水シート１は、図１および図２に示すように、防水層２と、拘束層３と、粘着層４と、セパレーター５とを備える。
【００４７】
防水層２は、防水性を有する。詳しくは、防水層２には、水が浸み込まない。また、防水層２は、防水シート１を対象１００に貼り付けるときに、伸長可能である。防水層２は、例えば、エチレン・プロピレン・ジエンゴム（ＥＰＤＭゴム）などのゴムからなる。防水層２は、所定の第１方向と、第１方向と直交する第２方向とに延びる。防水層２は、略矩形状のシート形状を有する。防水層２の外周Ｒ１を区画する各辺は、第１方向または第２方向に沿う。
【００４８】
防水層２の厚みは、例えば、０．１ｍｍ以上、好ましくは、０．４ｍｍ以上であり、例えば、４．０ｍｍ以下、好ましくは、２．０ｍｍ以下である。
【００４９】
防水層２の伸び率は、例えば、１５０％以上、好ましくは、２００％以上であり、例えば、４００％以下である。
【００５０】
拘束層３は、防水層２を拘束する。言い換えると、拘束層３は、防水層２を、所定の形状に保持する。拘束層３は、防水シート１が対象１００に貼り付けられる前において、防水層２を、フラットな形状に保持する。拘束層３は、防水シート１が対象１００に貼り付けられるときに、防水層２を、折り曲げられた形状に保持する。拘束層３は、防水層２に積層される。防水層２と拘束層３とが積層される方向を積層方向と定義する。積層方向は、第１方向および第２方向の両方と直交する。拘束層３は、剛性を有する。拘束層３は、例えば、アルミニウム、ステンレスなどの金属、例えば、ポリエチレンテレフタレートなどの硬質の樹脂からなる。拘束層３は、好ましくは、金属からなる。拘束層３が金属からなると、拘束層３の剛性を確保できる。拘束層３は、第１方向および第２方向に延びる略矩形の平板形状を有する。拘束層３の外周Ｒ２を区画する各辺は、第１方向または第２方向に沿う。
【００５１】
拘束層３の厚みは、例えば、０．０５ｍｍ以上、好ましくは、０．１ｍｍ以上であり、例えば、１．０ｍｍ以下、好ましくは、０．５ｍｍ以下である。
【００５２】
第１方向および第２方向において、拘束層３の外周Ｒ２は、防水層２の外周Ｒ１よりも内側に配置される。つまり、防水層２の周縁部（拘束層３の外周Ｒ２よりも外側に配置される部分）は、拘束層３から露出する。防水層２の周縁部が拘束層３から露出していると、作業者は、防水シート１を対象１００に貼り付けるときに、防水層２の周縁部を、拘束層３を介さずに、直接的に、対象１００に押し付けることができる。これにより、作業者は、防水層２の周縁部を、対象１００に対して容易に密着させることができる。
【００５３】
防水層２の周縁部の幅Ｗは、例えば、１．０ｍｍ以上、好ましくは、２．０ｍｍ以上であり、例えば、１０．０ｍｍ以下、好ましくは、８．０ｍｍ以下である。
【００５４】
なお、防水層２の周縁部は、拘束層３から露出しなくてもよい。すなわち、拘束層３の外周Ｒ２は、防水層２の外周Ｒ１と重なってもよい。
【００５５】
拘束層３は、切欠き６を有する。また、拘束層３は、第１拘束部７と、第２拘束部８と、第３拘束部９と、第１連結部１０と、第２連結部１１とを有する。
【００５６】
切欠き６は、防水層２を露出する。切欠き６は、第１方向において、拘束層３の一端Ｅ１から他端Ｅ２へ向かって切り欠かれる。切欠き６は、第１方向において、拘束層３の中央部まで切り欠かれる。第２方向における切欠き６の広さは、拘束層３の中央部から拘束層３の一端Ｅ１へ向かうにつれて拡がる。言い換えると、第２方向における切欠き６の広さは、第１拘束部７から離れるにつれて拡がる。詳しくは、切欠き６は、略三角形状（二等辺三角形状）を有し、辺６Ａと、辺６Ｂとを有する。辺６Ａおよび辺６Ｂは、第１方向に対して傾斜する。辺６Ａおよび辺６Ｂは、直線形状を有する。辺６Ａは、第１拘束部７から離れるにつれて、第３拘束部９から離れる。辺６Ｂは、第１拘束部７から離れるにつれて、第２拘束部８から離れる。
【００５７】
辺６Ａと辺６Ｂとが形成する角度θ１は、例えば、４０°以上、好ましくは、５０°以上であり、例えば、７０°以下、好ましくは、６０°以下である。
【００５８】
第１拘束部７は、切欠き６の第１方向他方側において、防水層２を拘束する。この実施形態では、第１拘束部７は、第１方向における防水層２の他方側の半分を拘束する。第１拘束部７は、第１方向において、切欠き６に対して他方側に配置される。第１拘束部７は、スリット１２と、第１穴１３と、第２穴１４とを有する。
【００５９】
スリット１２は、第１拘束部７を折り曲げやすくするために設けられる。スリット１２は、第２方向において、第１拘束部７の略中央に配置される。これにより、第１拘束部７は、第２方向における略中央において、スリット１２に沿って折り曲げ可能である。スリット１２は、第１方向に延びる。スリット１２は、直線形状を有する。スリット１２は、貫通穴である。スリット１２は、防水層２を露出する。スリット１２は、拘束層３を折り曲げやすくすることができれば、拘束層３を貫通しなくてもよい。スリット１２は、第１方向において、切欠き６と並ぶ。スリット１２上を通る仮想線は、二等辺三角形状の切欠き６の垂直二等分線となる。
【００６０】
第２方向におけるスリット１２の広さＬ１は、例えば、０ｍｍ以上、好ましくは、１．０ｍｍ以上であり、例えば、５．０ｍｍ以下、好ましくは、１０．０ｍｍ以下である。
【００６１】
第１穴１３は、第１拘束部７のうちの、スリット１２の第２方向一方側に配置される部分、および、第１拘束部７と第２拘束部８との境界部分を折り曲げやすくするために設けられる。なお、以下の説明において、第１拘束部７のうちの、スリット１２の第２方向一方側に配置される部分を、第１拘束部７の第１部分７Ａと記載する。この実施形態では、第１部分７Ａは、第２方向における第１拘束部７の一方側の半分に相当する。第１穴１３は、第１拘束部７と第２拘束部８との境界部分と、第１拘束部７とに配置される。第１穴１３は、第１方向において、第１拘束部７と第２拘束部８との境界部分から第１拘束部７にわたって広がる。第１穴１３は、第２方向において、スリット１２に対して一方側に配置される。また、第１穴１３は、第１方向において、第２拘束部８と並ぶ。第１穴１３は、貫通穴である。第１穴１３は、防水層２を露出する。第１穴１３は、拘束層３を折り曲げやすくすることができれば、拘束層３を貫通しなくてもよい。第１方向における第１穴１３の広さは、拘束層３の中央部から第２方向の一方側へ向かうにつれて拡がる。詳しくは、第１穴１３は、略三角形状を有する。第１穴１３は、辺１３Ａと、辺１３Ｂと、辺１３Ｃとを有する。辺１３Ａは、第１拘束部７と第２拘束部８との境界部分に配置される。辺１３Ａは、第２方向に沿って延びる。辺１３Ｂは、第２方向に対して傾斜する。辺１３Ｂは、第２方向の一方側へ向かうにつれて、第２拘束部８から離れる。また、辺１３Ｂは、第２方向の一方側へ向かうにつれて、辺１３Ａから離れる。第１拘束部７の第１部分７Ａは、辺１３Ａと辺１３Ｂとの間において、折り曲げ可能である。辺１３Ｃは、第１方向に沿って延びる。
【００６２】
辺１３Ａと辺１３Ｂとが形成する角度θ２は、例えば、０°以上、好ましくは、４０°以上であり、例えば、９０°以下、好ましくは、５０°以下である。
【００６３】
第２穴１４は、第１拘束部７のうちの、スリット１２の第２方向他方側に配置される部分、および、第１拘束部７と第３拘束部９との境界部分を折り曲げやすくするために設けられる。なお、以下の説明において、第１拘束部７のうちの、スリット１２の第２方向他方側に配置される部分を、第１拘束部７の第２部分７Ｂと記載する。この実施形態では、第２部分７Ｂは、第２方向における第１拘束部７の他方側の半分に相当する。第２穴１４は、第１拘束部７と第３拘束部９との境界部分と、第１拘束部７とに配置される。第２穴１４は、第１方向において、第１拘束部７と第３拘束部９との境界部分から第１拘束部７にわたって広がる。第２穴１４は、第２方向において、スリット１２に対して他方側に配置される。第２穴１４は、第２方向において、第１穴１３に対して間隔を隔てて配置される。第２穴１４は、第１方向において、第３拘束部９と並ぶ。第２穴１４は、貫通穴である。第２穴１４は、防水層２を露出する。第２穴１４は、拘束層３を折り曲げやすくすることができれば、拘束層３を貫通しなくてもよい。第１方向における第２穴１４の広さは、拘束層３の中央部から第２方向の他方側へ向かうにつれて拡がる。詳しくは、第２穴１４は、略三角形状を有する。第２穴１４は、辺１４Ａと、辺１４Ｂと、辺１４Ｃとを有する。辺１４Ａは、第１拘束部７と第３拘束部９との境界部分に配置される。辺１４Ａは、第２方向に沿って延びる。辺１４Ｂは、第２方向に対して傾斜する。辺１４Ｂは、第２方向の他方側へ向かうにつれて、第３拘束部９から離れる。また、辺１４Ｂは、第２方向の他方側へ向かうにつれて、辺１４Ａから離れる。第１拘束部７の第２部分７Ｂは、辺１４Ａと辺１４Ｂとの間において、折り曲げ可能である。辺１４Ｃは、第１方向に沿って延びる。
【００６４】
辺１４Ａと辺１４Ｂとが形成する角度θ３は、例えば、０°以上、好ましくは、４０°以上であり、例えば、９０°以下、好ましくは、５０°以下である。
【００６５】
第２拘束部８は、切欠き６の第２方向一方側において、防水層２を拘束する。第２拘束部８は、第２方向において、切欠き６に対して一方側に配置される。第２拘束部８は、第１拘束部７の第１部分７Ａと連続する。
【００６６】
第３拘束部９は、切欠き６の第２方向他方側において、防水層２を拘束する。第３拘束部９は、第２方向において、切欠き６に対して他方側に配置される。言い換えると、第３拘束部９は、第２方向において、切欠き６に対して、第２拘束部８の反対側に配置される。第３拘束部９は、第２方向において、第２拘束部８に対して間隔を隔てて配置される。第３拘束部９は、第１拘束部７の第２部分７Ｂと連続する。
【００６７】
第３拘束部９は、図４に示すように、第２方向における第１拘束部７の一端Ｅ１１（図１参照）と他端Ｅ１２（図１参照）とが近づくように第１拘束部７が折り曲げられた状態で、第１拘束部７が折り曲げられる前（図１参照）よりも、第２拘束部８から離れて配置される。このとき、切欠き６から露出される防水層２は、第３拘束部９が第２拘束部８から離れる方向に伸長する。
【００６８】
図１に示すように、第１連結部１０は、第１拘束部７と、第２拘束部８とを連結する。第１連結部１０は、第１拘束部７と第２拘束部８との境界部分に配置される。第１連結部１０は、第２方向において、第１穴１３と、第１拘束部７の一端Ｅ１１との間に配置される。第１連結部１０は、第１方向に延びる。第２方向における第１連結部１０の両側には、それぞれ、第１凹部１５が設けられる。すなわち、拘束層３は、第２方向における第１連結部１０の両側に配置される第１凹部１５を有する。２つの第１凹部１５は、第１連結部１０の幅（第２方向における長さ）Ｌ２を規定するために設けられる。第１凹部１５は、防水層２を露出する。なお、第１凹部１５は、防水層２を露出せず、第１連結部１０よりも薄く形成された凹みであってもよい。
【００６９】
第１連結部１０の幅Ｌ２は、例えば、１．０ｍｍ以上、好ましくは、３．０ｍｍ以上であり、例えば、１０．０ｍｍ以下、好ましくは、５．０ｍｍ以下である。
【００７０】
第２連結部１１は、第１拘束部７と、第３拘束部９とを連結する。第２連結部１１は、第１拘束部７と第３拘束部９との境界部分に配置される。第２連結部１１は、第２方向において、第２穴１４と、第１拘束部７の他端Ｅ１２との間に配置される。第２連結部１１は、第１方向に延びる。第２方向における第２連結部１１の両側には、それぞれ、第２凹部１６が設けられる。すなわち、拘束層３は、第２方向における第２連結部１１の両側に配置される第２凹部１６を有する。２つの第２凹部１６は、第２連結部１１の幅（第２方向における長さ）Ｌ３を規定するために設けられる。第２凹部１６は、防水層２を露出する。なお、第２凹部１６は、防水層２を露出せず、第２連結部１１よりも薄く形成された凹みであってもよい。
【００７１】
第２連結部１１の幅Ｌ３は、例えば、１．０ｍｍ以上、好ましくは、３．０ｍｍ以上であり、例えば、１０．０ｍｍ以下、好ましくは、５．０ｍｍ以下である。
【００７２】
なお、第１拘束部７の第１部分７Ａ、第１拘束部７の第２部分７Ｂ、第２拘束部８、および第３拘束部９は、拘束層３の中央部を介して、互いに連結されている。なお、以下の説明において、拘束層３の中央部を、中央連結部１７と記載する。中央連結部１７は、第１方向において、切欠き６と第１拘束部７との間に配置される。中央連結部１７は、第１方向において、切欠き６とスリット１２との間に配置される。中央連結部１７は、第２方向において、第２拘束部８と第３拘束部９との間に配置される。中央連結部１７は、第２方向において、第１穴１３と第２穴１４との間に配置される。第１拘束部７の第１部分７Ａと第２拘束部８とは、第１連結部１０と中央連結部１７とによって連結され、第１拘束部７の第２部分７Ｂと第３拘束部９とは、第２連結部１１と中央連結部１７とによって連結されている。
【００７３】
粘着層４は、図２に示すように、拘束層３の反対側において、防水層２に積層される。粘着層４は、拘束層３の反対側において、防水層２の全面を覆う。粘着層４は、粘着性と、防水性とを有する。粘着層４は、粘着剤から形成される。粘着剤としては、例えば、ゴム系粘着剤、アクリル系粘着剤、シリコーン系粘着剤、ウレタン系粘着剤などが挙げられる。なお、粘着層４は、弾性層と、積層方向における弾性層の両面に塗布される粘着剤とから形成されてもよい。
【００７４】
粘着層４の厚みは、例えば、０．１ｍｍ以上、好ましくは、０．４ｍｍ以上であり、例えば、４．０ｍｍ以下、好ましくは、２．０ｍｍ以下である。
【００７５】
セパレーター５は、防水層２の反対側において粘着層４に積層される。セパレーター５は、粘着層４の粘着力により、粘着層４に貼り付けられる。セパレーター５は、粘着層４の全面を覆う。セパレーター５は、可撓性を有する。セパレーター５は、フィルム形状を有する。セパレーター５は、粘着層４から剥離可能である。
【００７６】
セパレーター５としては、例えば、ポリエチレン、ポリプロピレン、ポリエチレンテレフタレートなどの樹脂からなるフィルムを基材とする剥離フィルム、例えば、紙を基材とする剥離紙などが挙げられる。セパレーター５は、粘着層４からの剥離性を確保するために、粘着層４と接触する表面に、例えば、シリコーン樹脂などの剥離剤からなる薄膜を有してもよい。
【００７７】
セパレーター５は、図３に示すように、第１の切れ目Ｃ１と、第２の切れ目Ｃ２とによって、４つに分割されている。すなわち、セパレーター５は、第１セパレーター５Ａ、第２セパレーター５Ｂ、第３セパレーター５Ｃおよび第４セパレーター５Ｄを備える。第１セパレーター５Ａ、第２セパレーター５Ｂ、第３セパレーター５Ｃおよび第４セパレーター５Ｄは、互いに独立して粘着層４から剥離可能である。これにより、後で詳しく説明するが、セパレーター５を部分的に粘着層４から剥離して、防水層２を、対象１００に、部分的に貼り付けていくことができる。なお、第１の切れ目Ｃ１は、第１方向に延びる。第１の切れ目Ｃ１は、スリット１２および切欠き６と、積層方向において重なる。第２の切れ目Ｃ２は、第２方向に延びる。第２の切れ目Ｃ２は、第１の切れ目Ｃ１と直交する。第２の切れ目Ｃ２は、第１拘束部７と第２拘束部８との境界部分、および、第１拘束部７と第２拘束部８との境界部分と、積層方向において重なる。より具体的には、第２の切れ目Ｃ２は、第１連結部１０および第２連結部１１と、積層方向において重なる。
【００７８】
第１セパレーター５Ａは、第１拘束部７の第１部分７Ａと、積層方向において重なる。つまり、第１セパレーター５Ａを粘着層４から剥離することにより、粘着層４のうちの、第１拘束部７の第１部分７Ａと積層方向に重なる部分を、露出させることができる。そのため、第１セパレーター５Ａを粘着層４から剥離した状態で、防水層２のうちの、第１拘束部７の第１部分７Ａによって拘束される部分を、対象１００に貼り付けることができる。以下の説明において、防水層２のうち、第１拘束部７の第１部分７Ａによって拘束される部分を、防水層２の第１部分２Ａと記載する。
【００７９】
第２セパレーター５Ｂは、第１拘束部７の第２部分７Ｂと、積層方向において重なる。つまり、第２セパレーター５Ｂを粘着層４から剥離することにより、粘着層４のうちの、第１拘束部７の第２部分７Ｂと積層方向に重なる部分を、露出させることができる。そのため、第２セパレーター５Ｂを粘着層４から剥離した状態で、防水層２のうち、第１拘束部７の第２部分７Ｂによって拘束される部分を、対象１００に貼り付けることができる。以下の説明において、防水層２のうちの、第１拘束部７の第２部分７Ｂによって拘束される部分を、防水層２の第２部分２Ｂと記載する。
【００８０】
第３セパレーター５Ｃは、第２拘束部８と、積層方向において重なる。つまり、第３セパレーター５Ｃを粘着層４から剥離することにより、粘着層４のうちの、第２拘束部８と積層方向に重なる部分を、露出させることができる。そのため、第３セパレーター５Ｃを粘着層４から剥離した状態で、防水層２のうちの、第２拘束部８によって拘束される部分を、対象１００に貼り付けることができる。以下の説明において、防水層２のうち、第２拘束部８によって拘束される部分を、防水層２の第３部分２Ｃと記載する。
【００８１】
第４セパレーター５Ｄは、第３拘束部９と、積層方向において重なる。つまり、第４セパレーター５Ｄを粘着層４から剥離することにより、粘着層４のうちの、第３拘束部９と積層方向に重なる部分を、露出させることができる。そのため、第４セパレーター５Ｄを粘着層４から剥離した状態で、防水層２のうちの、第３拘束部９によって拘束される部分を、対象１００に貼り付けることができる。以下の説明において、防水層２のうち、第３拘束部９によって拘束される部分を、防水層２の第４部分２Ｄと記載する。
【００８２】
次いで、図４を参照して、防水シート１の施工状態について説明する。
【００８３】
上記したように、防水シート１は、建築物などの対象１００において、コーナー１０１と、傾斜面１０２とが交わる部分に貼り付けられる。コーナー１０１は、第１面Ｓ１と第２面Ｓ２とから形成される。第１面Ｓ１は、コーナー１０１が延びる方向に延び、傾斜面１０２と交差する。第２面Ｓ２は、コーナー１０１が延びる方向に延び、第１面Ｓ１および傾斜面１０２と交差する。
【００８４】
防水シート１が対象１００に貼り付けられた状態で、防水シート１は、スリット１２がコーナー１０１に沿うように配置され、コーナー１０１に沿って折り曲げられる。この状態で、第１拘束部７は、第２方向における第１拘束部７の一端Ｅ１１と他端Ｅ１２とが近づくように、山折りされる。また、防水層２の第１部分２Ａは、粘着層４により、対象１００の第１面Ｓ１に貼り付けられる。防水層２の第２部分２Ｂは、粘着層４により、対象１００の第２面Ｓ２に貼り付けられる。なお、防水層２の第２部分２Ｂは、粘着層４により、対象１００の傾斜面１０２にも貼り付けられる。
【００８５】
また、防水シート１は、第１面Ｓ１と傾斜面１０２との境目に沿って折り曲げられるとともに、第２面Ｓ２と傾斜面１０２との境目に沿って折り曲げられる。この状態で、第１拘束部７は、第１穴１３の辺１３Ａと辺１３Ｂとの間で谷折りされるとともに、第２穴１４の辺１４Ａと辺１４Ｂとの間で谷折りされる。また、防水層２の第３部分２Ｃおよび第４部分２Ｄは、対象１００の傾斜面１０２に貼り付けられる。
【００８６】
また、第３拘束部９は、第１拘束部７が折り曲げられる前（図１参照）よりも、第２拘束部８から離れて配置される。防水層２のうち、切欠き６から露出される部分は、第３拘束部９が第２拘束部８から離れる方向に伸長する。
【００８７】
次いで、図５Ａから図６を参照して、防水シート１を対象１００に貼り付ける方法（防水シート１の施工方法）について説明する。
【００８８】
防水シート１の施工方法は、第１貼付工程（図５Ａ参照）と、第２貼付工程（図５Ｂ参照）と、第３貼付工程（図６参照）とを含む。
【００８９】
第１貼付工程では、作業者は、図５Ａに示すように、防水層２の第１部分２Ａを、対象１００の第１面Ｓ１に貼り付ける。
【００９０】
詳しくは、作業者は、防水シート１を、第１拘束部７と第２拘束部８との境界部分（図１参照）、および、第１拘束部７と第３拘束部９との境界部分（図１参照）において、拘束層３が谷折りされるように折り曲げる。これにより、防水シート１には、第１拘束部７の剛性によって、第１拘束部７と第２拘束部８との境界部分、および、第１拘束部７と第３拘束部９との境界部分に第１の折り目が付く。
【００９１】
次いで、作業者は、第１セパレーター５Ａ（図３参照）を剥離し、スリット１２がコーナー１０１に沿い、第１の折り目が第１面Ｓ１と傾斜面１０２との境目に沿うように、防水層２の第１部分２Ａを、対象１００の第１面Ｓ１に貼り付ける。
【００９２】
次いで、第２貼付工程では、作業者は、図５Ｂに示すように、防水層２の第２部分２Ｂを、対象１００の第２面Ｓ２に貼り付ける。
【００９３】
詳しくは、作業者は、第２セパレーター５Ｂ（図３参照）を剥離せずに、防水シート１を、コーナー１０１、および、第２面Ｓ２と傾斜面１０２との境目に沿って、折り曲げる。このとき、第１拘束部７は、コーナー１０１に沿って山折りされ、第１拘束部７の第２部分７Ｂは、第２穴１４の辺１４Ａと辺１４Ｂとの間で谷折りされる。これにより、防水シート１には、第１拘束部７の剛性によって、コーナー１０１に沿って延びる第２の折り目と、第２面Ｓ２と傾斜面１０２との境目に沿って延びる第３の折り目とが付く。
【００９４】
次いで、作業者は、第２セパレーター５Ｂの一部（防水層２の第２部分２Ｂのうちの対象１００の第２面Ｓ２に貼り付けられる部分に積層される部分）を剥離し、第３の折り目が第２面Ｓ２と傾斜面１０２との境目に沿うように、防水層２の第２部分２Ｂを、対象１００の第２面Ｓ２に貼り付ける。次いで、作業者は、第２セパレーター５Ｂの残りの部分を剥離し、防水層２の第２部分２Ｂのうち、第２面Ｓ２からはみ出た部分を、傾斜面１０２に貼り付ける。
【００９５】
次いで、第３貼付部分では、作業者は、図６および図４に示すように、防水層２の第３部分２Ｃおよび第４部分２Ｄを、切欠き６から露出される防水層２を伸長させながら、傾斜面１０２に貼り付ける。
【００９６】
詳しくは、作業者は、図６に示すように、第３セパレーター５Ｃを剥離し、防水層２の第３部分２Ｃを、傾斜面１０２のうちの、第１面Ｓ１と交差する部分に、貼り付ける。
【００９７】
次いで、作業者は、図４に示すように、第４セパレーター５Ｄを剥離し、切欠き６から露出される防水層２を伸長させながら、防水層２の第４部分２Ｄを、傾斜面１０２のうちの、第２面Ｓ２と交差する部分に、貼り付ける。
【００９８】
このとき、第１拘束部７が対象１００の第１面Ｓ１および第２面Ｓ２に対して固定された状態で第２拘束部８と第３拘束部９との間隔が拡げられることにより、中央連結部１７（図１参照）が、歪みながら、コーナー１０１の稜線と、第１面Ｓ１と傾斜面１０２との境目と、第２面Ｓ２と傾斜面１０２との境目とが交わるポイントに対して、押し付けられる。これにより、コーナー１０１の稜線と、第１面Ｓ１と傾斜面１０２との境目と、第２面Ｓ２と傾斜面１０２との境目とが交わるポイントに対して、防水層２を密着させることができる。
【００９９】
防水層２の第３部分２Ｃおよび第４部分２Ｄを傾斜面１０２に貼り付けることにより、対象１００に対する防水シート１の貼り付けが完了する。
【０１００】
この防水シート１、および、防水シート１の施工方法によれば、図１に示すように、拘束層３が、第１拘束部７と、切欠き６によって分離される第２拘束部８および第３拘束部９を有し、図４に示すように、第１拘束部７が折り曲げられ、第３拘束部９が第２拘束部８から離れた場合に、切欠き６から露出される防水層２が伸長する。
【０１０１】
これにより、コーナー１０１の形状や傾斜面１０２の斜度に応じて、第１拘束部７の屈曲度合いと、切欠き６から露出される防水層２の伸長度合いとを変えて、防水シート１を、対象１００の形状に合わせて折り曲げることができる。
【０１０２】
その結果、防水シート１を、対象１００のコーナー１０１や傾斜面１０２に対して、容易に密着させることができる。
【０１０３】
また、この防水シート１によれば、図１に示すように、第１拘束部７が、第１方向において切欠き６と並び、第１方向に延びるスリット１２を有する。
【０１０４】
そのため、図４に示すように、第１拘束部７を、切欠き６と並ぶ位置において、スリット１２に沿って容易に折り曲げることができる。
【０１０５】
また、この防水シート１によれば、図１に示すように、第２方向における切欠き６の広さが、第１拘束部７から離れるにつれて拡がる。
【０１０６】
そのため、図４に示すように、第３拘束部９が第２拘束部８から離れるときに、切欠き６から露出される防水層２を、第１拘束部７から離れるほど伸長させることができる。
【０１０７】
また、この防水シート１によれば、図１に示すように、第１拘束部７が、第１穴１３および第２穴１４を有する。
【０１０８】
そのため、図４に示すように、第１穴１３によって、第１拘束部７と第２拘束部８との境界部分で、防水シートを容易に折り曲げることができるとともに、第２穴１４によって、第１拘束部７の剛性を弱めて、折り目が第１拘束部７を通る場合であっても、防水シート１を容易に折り曲げることができる。
【０１０９】
また、この防水シート１によれば、図１に示すように、拘束層３が、第１拘束部７と第２拘束部８とを連結する第１連結部１０と、第１拘束部７と第３拘束部９とを連結する第２連結部１１とを有する。
【０１１０】
そのため、第１拘束部７と第２拘束部８との境界部分、および、第１拘束部７と第３拘束部９との境界部分において、防水層２を確実に拘束することができる。
【０１１１】
また、この防水シート１によれば、図１に示すように、拘束層３が、第２方向における第１連結部１０の両側に配置される第１凹部１５と、第２方向における第２連結部１１の両側に配置される第２凹部１６とを有する。
【０１１２】
そのため、第１凹部１５によって、第２方向における第１連結部１０の長さＬ２を規定し、第２凹部１６によって、第２方向における第２連結部１１の長さＬ３を規定することができる。
【０１１３】
その結果、第１拘束部７と第２拘束部８との境界部分、および、第１拘束部７と第３拘束部９との境界部分において防水シート１を折り曲げやすいように、第２方向における第１連結部１０の長さＬ２、および、第２方向における第２連結部１１の長さＬ３を調節することができる。
【０１１４】
また、この防水シート１によれば、図２に示すように、拘束層３の反対側において防水層２に積層される粘着層４と、防水層２の反対側において粘着層４に積層されるセパレーター５とを備える。
【０１１５】
そのため、防水シート１を対象１００に貼り付けるときに、別途、粘着剤などを準備する必要がなく、粘着層４により、防水シート１を対象１００に容易に貼り付けることができる。
【０１１６】
また、この防水シート１によれば、図３に示すように、セパレーター５が、互いに独立して粘着層４から剥離可能な第１セパレーター５Ａ、第２セパレーター５Ｂ、第３セパレーター５Ｃおよび第４セパレーター５Ｄを備える。
【０１１７】
そのため、セパレーター５を部分的に粘着層４から剥離して、防水シート１を、対象１００に一部ずつ貼り付けていくことができる。
【０１１８】
その結果、粘着層４が意図せず対象に粘着することを抑制し、防水シート１を対象１００に円滑に貼り付けることができる。
【０１１９】
なお、図７に示すように、セパレーター５０は、切れ目Ｃによって２つに分割されていてもよい。すなわち、セパレーター５０は、互いに独立して粘着層から剥離可能な第１セパレーター５０Ａおよび第２セパレーター５０Ｂを備えてもよい。この場合、第１セパレーター５０Ａは、第１拘束部７と、積層方向において重なってもよい。第２セパレーター５０Ｂは、第２拘束部８および第３拘束部９と、積層方向において重なってもよい。
【０１２０】
この変形例においても、上記した第１実施形態と同様の作用効果を得ることができる。
【０１２１】
（第２実施形態）
図８から図１０を参照して、第２実施形態について説明する。第２実施形態において、第１実施形態と同様の部材には同じ符号を付し、説明を省略する。
【０１２２】
第２実施形態の防水シート２００では、図８に示すように、切欠き２０１の辺２０１Ａおよび辺２０１Ｂは、湾曲形状を有する。辺２０１Ａは、第３拘束部９から離れる方向へ向かって凹むように、湾曲する。辺２０１Ｂは、第２拘束部８から離れる方向へ向かって凹むように、湾曲する。これにより、第２拘束部８と第３拘束部９との間隔を容易に広げることができる。
【０１２３】
また、第２実施形態の防水シート２００では、第１穴２０２は、第１拘束部７と第２拘束部８との境界部分に配置され、第１拘束部７には配置されていない。また、第２穴２０３は、第１拘束部７と第３拘束部９との境界部分に配置され、第１拘束部７には配置されていない。第１穴２０２および第２穴２０３は、スリットである。第１穴２０２および第２穴２０３は、第２方向に延びる。第１穴２０２および第２穴２０３は、直線形状を有する。
【０１２４】
また、第２実施形態の防水シート２００では、図９に示すように、第３セパレーター５Ｃは、第１本体部２０４Ａと、第１分離部２０４Ｂとを備え、第４セパレーター５Ｄは、第２本体部２０５Ａと、第２分離部２０５Ｂとを備える。
【０１２５】
第１本体部２０４Ａは、防水層２の第３部分２Ｃを傾斜面１０２（図６参照）に貼り付けるときに、第１分離部２０４Ｂよりも先に、粘着層４から剥離される。第１本体部２０４Ａは、第３セパレーター５Ｃのうち、第１分離部２０４Ｂ以外の部分である。詳しくは、第１本体部２０４Ａは、第２方向において、第１分離部２０４Ｂに対して他方側に配置される。また、第１本体部２０４Ａは、第１方向において、第１分離部２０４Ｂに対して他方側に配置される。
【０１２６】
第１分離部２０４Ｂは、第１本体部２０４Ａから分離可能である。第１分離部２０４Ｂは、第１本体部２０４Ａが粘着層４から剥離された状態で、粘着層４に残存する。第１分離部２０４Ｂは、積層方向において、第２拘束部８と重なる。第１分離部２０４Ｂは、第２方向において、第３セパレーター５Ｃの一端部に配置される。また、第１分離部２０４Ｂは、第１方向において、第３セパレーター５Ｃの一端部に配置される。
【０１２７】
第２本体部２０５Ａは、防水層２の第４部分２Ｄを傾斜面１０２（図４参照）に貼り付けるときに、第２分離部２０５Ｂよりも先に、粘着層４から剥離される。第２本体部２０５Ａは、第４セパレーター５Ｄのうち、第２分離部２０５Ｂ以外の部分である。詳しくは、第２本体部２０５Ａは、第２方向において、第２分離部２０５Ｂに対して一方側に配置される。また、第２本体部２０５Ａは、第１方向において、第２分離部２０５Ｂに対して他方側に配置される。
【０１２８】
第２分離部２０５Ｂは、第２本体部２０５Ａから分離可能である。第２分離部２０５Ｂは、第２本体部２０５Ａが粘着層４から剥離された状態で、粘着層４に残存する。第２分離部２０５Ｂは、積層方向において、第３拘束部９と重なる。第２分離部２０５Ｂは、第２方向において、第４セパレーター５Ｄの他端部に配置される。また、第２分離部２０５Ｂは、第１方向において、第４セパレーター５Ｄの一端部に配置される。
【０１２９】
第２実施形態では、防水層２の第３部分２Ｃを傾斜面１０２（図６参照）に貼り付けるとき、作業者は、第３セパレーター５Ｃの第１本体部２０４Ａを剥離し、第１分離部２０４Ｂが残存している部分をつかんで、第３部分２Ｃを傾斜面１０２に貼り付けることができる。
【０１３０】
なお、このとき、第３部分２Ｃは、第１本体部２０４Ａが剥離されることにより露出した粘着層４によって、部分的に、傾斜面１０２に貼り付けられる。その後、作業者は、第１分離部２０４Ｂを剥離し、第３部分２Ｃの残りの部分を傾斜面１０２に貼り付ける。
【０１３１】
第１分離部２０４Ｂが残存している部分をつかむことにより、作業者は、粘着層４に触れることなく、第３部分２Ｃを傾斜面１０２に貼り付けることができる。
【０１３２】
同様に、防水層２の第４部分２Ｄを傾斜面１０２（図４参照）に貼り付けるとき、作業者は、第４セパレーター５Ｄの第２本体部２０５Ａを剥離し、第２分離部２０５Ｂが残存している部分をつかんで、第４部分２Ｄを傾斜面１０２に貼り付けることができる。その後、作業者は、第２分離部２０５Ｂを剥離し、第４部分２Ｄの残りの部分を傾斜面１０２に貼り付ける。
【０１３３】
第２実施形態においても、上記した第１実施形態と同様の作用効果を得ることができる。
【０１３４】
なお、第２実施形態においても、図１０に示すように、セパレーター５０は、切れ目Ｃによって２つに分割されていてもよい。この場合、第２セパレーター５０Ｂは、本体部２１０Ａと、第１分離部２１０Ｂと、第２分離部２１０Ｃとを備える。本体部２１０Ａは、上記した第１本体部２０４Ａ（図９参照）と第２本体部２０５Ａ（図９参照）とを合わせた形状を有する。本体部２１０Ａは、防水層２の第３部分２Ｃおよび第４部分２Ｄを傾斜面１０２（図６参照）に貼り付けるときに、第１分離部２１０Ｂおよび第２分離部２１０Ｃよりも先に、粘着層４から剥離される。第１分離部２１０Ｂは、上記した第１分離部２０４Ｂ（図９参照）と同じ形状を有する。第１分離部２１０Ｂは、積層方向において、第２拘束部８と重なる。第２分離部２１０Ｃは、上記した第２分離部２０５Ｂ（図９参照）と同じ形状を有する。第２分離部２１０Ｃは、積層方向において、第３拘束部９と重なる。第１分離部２１０Ｂおよび第２分離部２１０Ｃは、本体部２１０Ａから分離可能であり、本体部２１０Ａが粘着層４から剥離された状態で、粘着層４に残存する。
【０１３５】
この変形例においても、上記した第２実施形態と同様の作用効果を得ることができる。
【符号の説明】
【０１３６】
１      防水シート
２      防水層
３      拘束層
４      粘着層
５      セパレーター
５Ａ    第１セパレーター
５Ｂ    第２セパレーター
５Ｃ    第３セパレーター
５Ｄ    第４セパレーター
７      第１拘束部
８      第２拘束部
９      第３拘束部
１０    第１連結部
１１    第２連結部
１２    スリット
１３    第１穴
１４    第２穴
１５    第１凹部
１６    第２凹部
５０    セパレーター
５０Ａ  第１セパレーター
５０Ｂ  第２セパレーター
１００  対象
１０１  コーナー
１０２  傾斜面
Ｅ１    一端
Ｅ２    他端
Ｅ１１  一端
Ｅ１２  他端
【図１】
2019085735.tif 000003
【図２】
2019085735.tif 000004
【図３】
2019085735.tif 000005
【図４】
2019085735.tif 000006
【図５】
2019085735.tif 000007
【図６】
2019085735.tif 000008
【図７】
2019085735.tif 000009
【図８】
2019085735.tif 000010
【図９】
2019085735.tif 000011
【図１０】
2019085735.tif 000012